【手続補正書】
【提出日】平成18年1月11日(2006.1.11)
【手続補正１】
【補正対象書類名】明細書
【補正対象項目名】特許請求の範囲
【補正方法】変更
【補正の内容】
【特許請求の範囲】
【請求項１】物体側より順に、正の屈折力の第１レンズ群と正の屈折力の第２レンズ群と負の屈折力の第３レンズ群とよりなり、広角端から望遠端への変倍に際し、第１レンズ群と第２レンズ群との間隔が増大し第２レンズ群と第３レンズ群との間隔が減少するように各レンズ群を物体側へ繰り出す光学系で、下記条件（１）、（２）、（３）、（４）を満足するズーム光学系。
（１）  ｆＴ／ｆＷ＞３．８
（２）  ０＜［Ｓ（ｆＴａ）−Ｓ（ｆＷ）］／（ｆＴａ−ｆＷ）＜０．２
（３）  ０．８＜Ｌ（ｆＴａ）／（ｆＴａ−ｆＷ）＜１．０５
（４）  ０＜Ｈ（Ｇ１）／ｆＴａ＜０．０２３
ただしｆＷ，ｆＴは夫々広角端および望遠端の焦点距離、ｆＴａは広角端の焦点距離の３．８倍を超える焦点距離領域の任意の焦点距離、Ｓ（Ｗ）は広角端における最も物体側の面から最も像側の面までの距離、Ｓ（ｆＴａ）は焦点距離がｆＴａにおける最も物体側の面から最も像側の面までの距離、Ｌ（ｆＴａ）は焦点距離ｆＴａにおける最も物体側の面から像面までの距離、Ｈ（Ｇ１）は最も物体側の面から第１レンズ群の前側主点までの距離である。
【請求項２】物体側より順に、正の屈折力の第１レンズ群と正の屈折力の第２レンズ群と負の屈折力の第３レンズ群とよりなり、広角端から望遠端への変倍に際し、第１レンズ群と第２レンズ群の間隔が増大し第２レンズ群と第３レンズ群の間隔が減少するように各レンズ群を物体側へ繰り出す光学系で、正の屈折力の第１レンズ群が物体側より順に物体側に凹面を向けた負のメニスカス単レンズと像側より強い曲率の面を物体側に向けた正の単レンズの２枚のレンズにて構成され、負の第３レンズ群が物体側より順に、両凹負レンズと、像側より強い曲率の凸面を物体側に向けた正レンズと、像側より強い曲率の凹面を物体側に向けた負レンズとを有し、下記条件（２Ａ）、（３Ａ）を満足するズーム光学系。
（２Ａ）  ０＜［Ｓ（ｆＴ）−Ｓ（ｆＷ）］／（ｆＴ−ｆＷ）＜０．２
（３Ａ）  ０．８＜Ｌ（ｆＴ）／（ｆＴ−ｆＷ）＜１．０５
ただし、ｆＷ，ｆＴは夫々広角端および望遠端におけるズーム光学系全系の焦点距離、Ｓ（ｆＷ）は広角端における最も物体側の面から最も像側の面までの距離、Ｓ（ｆＴ）は望遠端における最も物体側の面から最も像側の面までの距離、Ｌ（ｆＴ）は望遠端における光学系の全長である。
【請求項３】物体側より順に、正の屈折力の第１レンズ群と正の屈折力の第２レンズ群と負の屈折力の第３レンズ群とよりなり、広角端から望遠端への変倍に際し、第１レンズ群と第２レンズ群の間隔を増大し第２レンズ群と第３レンズ群の間隔が減少するように各レンズ群を物体側へ繰り出す光学系で、負の屈折力の第３レンズ群が物体側より順に、両凹レンズと像側より強い曲率の凸面を物体側に向けた正レンズと、像側より強い曲率の凹面を物体側に向けた負レンズを有し、フォーカシング時に少なくとも第２レンズ群と第３レンズ群の間隔が変化する光学系で、下記条件（１０）を満足するズーム光学系。
（１０）    （β３Ｔ）2 ／［Ｆ（Ｔ）×０．０３］＜６０
ただしβ３Ｔは第３レンズ群の望遠端における倍率、Ｆ（Ｔ）は望遠端におけるＦナンバーである。
【請求項４】物体側より順に、正の屈折力の第１レンズ群と正の屈折力の第２レンズ群と負の屈折力の第３レンズ群とよりなり、広角端から望遠端への変倍の際に、第１レンズ群と第２レンズ群の間隔が増大し第２レンズ群と第３レンズ群との間隔が減少するように各レンズ群を物体側へ繰り出す光学系で、フォーカシングの際に少なくとも第２レンズ群と第３レンズ群の間隔が変化し、下記条件（１）、（４）、（５）、（６）を満足するズーム光学系。
（１）    ｆＴ／ｆＷ＞３．８
（４）    ０＜Ｈ（Ｇ１）／ｆＴａ＜０．０２３
（５）    １５＜（β３Ｔ）2 −（β３Ｔ）2 ×（β２Ｔ）2 ＜２７
（６）    ０．３＜ｆ１／ｆＴａ＜０．５
ただし、ｆＷ，ｆＴは夫々広角端および望遠端における全系の焦点距離、ｆＴａは広角端の焦点距離の３．８倍を超える焦点距離領域の任意の焦点距離、Ｈ（Ｇ１）は第１面から第１レンズ群の前側主点までの距離、ｆ１は第１レンズ群の焦点距離、β２Ｔ，β３Ｔは夫々第２レンズ群および第３レンズ群の望遠端における倍率である。
【請求項５】前記正の屈折力の第１レンズ群が、物体側より順に、物体側に凹面を向けた負のメニスカス単レンズと、像側よりも物体側の面が強い曲率の面である正の単レンズとにて構成され、第３レンズ群が、物体側より順に両凹負レンズと、像側よりも強い曲率の凸面を物体側に向けた正レンズと、像側よりも強い曲率の凹面を物体側に向けた負レンズを有することを特徴とする請求項１のズーム光学系。
【請求項６】下記条件（４Ａ）を満足することを特徴とする請求項２のズーム光学系。
（４Ａ）    ０＜Ｈ（Ｇ１）／ｆＴ＜０．０２８
ただし、Ｈ（Ｇ１）は第１面から第１レンズ群の前側主点までの距離、ｆＴは望遠端における全系の焦点距離である。
【請求項７】下記条件（５）を満足することを特徴とする請求項１、２、５又は６のズーム光学系。
（５）  １５＜（β３Ｔ）2 −（β３Ｔ）2 ×（β２Ｔ）2 ＜２７
ただし、β２Ｔ，β３Ｔは夫々第２レンズ群および第３レンズ群の望遠端における倍率である。
【請求項８】下記条件（６）を満足することを特徴とする請求項１、２、５、６又は７のズーム光学系。
（６）    ０．３＜ｆ１／ｆＴ＜０．５
ただし、ｆ１は第１レンズ群の焦点距離、ｆＴは望遠端における全系の焦点距離である。
【請求項９】前記第２レンズ群が全体として負の屈折力を有していて負レンズと正レンズを接合した接合レンズと、全体として正の屈折力を有していて負レンズと正レンズとを接合した接合レンズとを少なくとも有していることを特徴とする請求項１、２、５、６、７又は８のズーム光学系。
【請求項１０】前記第３レンズ群中に球面レンズの凹面に樹脂を薄く塗布することによって非球面を形成するレンズを少なくとも１枚有し、下記条件（７）を満足することを特徴とする請求項１、２、５、６、７、８又は９のズーム光学系。
（７）  −０．２＜［（１／Ｒｂ−１／Ｒａ）／（Ｎ１−Ｎ２）］Ｙ＜０．９
ただし、Ｒａは光軸から高さＹにおける非球面の局所的曲率半径つまり非球面上の光軸から高さＹの点における法線が光軸と交わるまでの距離、Ｒｂは非球面の光軸上の曲率半径、Ｎ１、Ｎ２は夫々非球面の物体側および像側の屈折率である。
【請求項１１】前記第１レンズ群の最も像側の正レンズが下記条件（８）を満足することを特徴とする請求項１、２、５、６、７、８、９又は１０のズーム光学系。
（８）    νd （１Ｒ）＞８１
ただし、νd （１Ｒ）は第１レンズ群の最も像側に配置された正レンズのアッベ数である。
【手続補正２】
【補正対象書類名】明細書
【補正対象項目名】００４６
【補正方法】変更
【補正の内容】
【００４６】
また、前記第２、第３の構成の光学系において、下記条件（４Ａ）を満足することが望ましい。
（４Ａ）    ０＜Ｈ（Ｇ１）／ｆＴ＜０．０２８
【手続補正３】
【補正対象書類名】明細書
【補正対象項目名】０１１２
【補正方法】変更
【補正の内容】
【０１１２】
この実施例１１は、第１レンズ群Ｇ１と第３レンズ群Ｇ３とは、実施例１等と同様のレンズ構成であるが、第２レンズ群Ｇ２は負レンズと正レンズの接合レンズ二つ（ｒ6 〜ｒ8 ）および（ｒ11 〜ｒ13）とその像側に配置されたこれら二つの接合レンズの間に正レンズ（ｒ9〜ｒ10）とよりなる。この実施例１１は、第３レンズ群Ｇ３の最も物体側の両凹レンズ（ｒ15〜ｒ16）がその物体側の凹面ｒ15に非球面ｒ14を有する樹脂膜を形成した非球面複合レンズである。
【手続補正４】
【補正対象書類名】明細書
【補正対象項目名】０１１３
【補正方法】変更
【補正の内容】
【０１１３】
更に、この実施例１１は、第１レンズ群Ｇ１と第２レンズ群Ｇ２の間に明るさ絞りＳが配置されている。